(57)【要約】【課題】上、下端にハゼ部を屈曲形成し、裏面に粘着剤を設けた粘着剤付き屋根材における雨水等の浸入を確実に防止可能な粘着屋根葺き工法を提供する。【解決手段】上、下端にハゼ部４、５を屈曲形成し、裏面に粘着剤６を設けた粘着剤付き屋根材１の粘着屋根葺き工法Ａであって、前記粘着剤付き屋根材１の両側端には、上方に向けて立設された連結片２を形成すると共に、屋根下地Ｓ上に粘着させた前記粘着剤付き屋根材１の一方の連結片３に、他の粘着剤付き屋根材１ａの他方の連結片２ａを隣接させて横葺きし、前記粘着剤付き屋根材１の上端のハゼ部４に上段の粘着剤付き屋根材の下端のハゼ部を連結して、前記粘着剤付き屋根材１の一方の連結片３と同軸上に上段の粘着剤付き屋根材の一方の連結片を隣接させて上記同様に他の粘着剤付き屋根材を横葺きした後、屋根の軒から棟に向けて線条に立設された複数の連結片３、２ａ・・・の上方から、下方に開放された防水キャップ７を嵌合してなる。【選択図】図１
2009133115.tif 000002
【特許請求の範囲】
【請求項１】
上、下端にハゼ部を屈曲形成し、裏面に粘着剤を設けた粘着剤付き屋根材の粘着屋根葺き工法であって、
前記粘着剤付き屋根材の両側端には、上方に向けて立設された連結片を形成すると共に、屋根の下地上に粘着させた前記粘着剤付き屋根材の一方の連結片に、他の粘着剤付き屋根材の他方の連結片を隣接させて横葺きし、前記粘着剤付き屋根材の上端のハゼ部に上段の粘着剤付き屋根材の下端のハゼ部を連結して、前記粘着剤付き屋根材の一方の連結片と同軸上に上段の粘着剤付き屋根材の一方の連結片を隣接させて上記同様に他の粘着剤付き屋根材を横葺きした後、屋根の軒から棟に向けて線条に立設された複数の連結片の上方から、下方に開放された防水キャップを嵌合してなる粘着剤付き屋根材の粘着屋根葺き工法。
【請求項２】
請求項１において、
連結片の上端には、内側下方に向けて折り返した係止部を形成すると共に、この係止部に係止可能な抜け止め片を、防水キャップの内面に形成してなる粘着剤付き屋根材の粘着屋根葺き工法。
【発明の詳細な説明】
【技術分野】
【０００１】
本発明は、上、下端にハゼ部を屈曲形成し、裏面に粘着剤を設けた粘着剤付き屋根材の粘着屋根葺き工法に関する。
【背景技術】
【０００２】
図４は、従来の粘着剤付き屋根材の粘着屋根葺き工法の一実施例を示す斜視図であり、図５は、図４で示した粘着剤付き屋根材の粘着屋根葺き工法の施工状態を示す断面図である。
【０００３】
上、下端にハゼ部１０１、１０２を屈曲形成し、裏面に粘着剤１０３を設けた粘着剤付き屋根材１００は既に公知である。
【０００４】
この種の粘着剤付き屋根材１００は、図４に示すように、トタン、ブリキ、薄鋼板などの金属製薄板１００’の上、下端にハゼ部（上側を「水上」、下側を「水下」とも呼ぶ。）１０１、１０２を屈曲形成するとともに、裏面に粘着剤１０３を設けた構造になっている。
【０００５】
このような粘着剤付き屋根材１００を施工する際には、図４に示すように、屋根の下地２０１上に接着性を高めるべくプライマー２０２を塗布し、このプライマー２０２上から非加硫ブチルゴムなどの粘着層２０３を裏面に備えた防水シート２０４を被覆して粘着し、屋根下地２００を形成する。
【０００６】
このように形成した屋根下地２００上の所定位置に、図４及び図５に示すように、略逆Ｔ状に形成した役物（「竪リブ」とも呼ぶ。）３００を固着する。
【０００７】
又、役物３００には、裏面全体から表面に巻き返して前記同様の粘着剤３０１を設けており、屋根下地２００上に墨出しした所定位置に役物３００の位置を合わせながら粘着剤３０１を屋根下地２００上に圧着して固着する。
【０００８】
そして、この固着した役物３００間に挟み込むようにして粘着剤付き屋根材１００を軒側端から粘着剤１０３によって屋根下地２００上に圧着し、以下、同様にして、次の粘着剤付き屋根材１１０を横方向に葺いて行く。
【０００９】
更に、この横葺きした粘着剤付き屋根材１００の棟方向には、前記同様、役物３００を屋根下地２００上に固着したうえで、粘着剤付き屋根材１００の上端のハゼ部１０１に、裏面に粘着剤１０３を設けた他の粘着剤付き屋根材１２０の下端のハゼ部１２２を係止したうえで、該他の粘着剤付き屋根材１２０を屋根下地２００上に圧着し、この係止したハゼ部１０１、１２２同士を拍子木等で叩いてハゼ潰し（「ハゼ締め」とも呼ぶ。）を行い、軒棟方向の粘着剤付き屋根材１００、１２０同士を連結しながら、前記同様に横方向に葺いて行くのである。
【発明の開示】
【発明が解決しようとする課題】
【００１０】
しかし、このような従来の粘着剤付き屋根材１００の粘着屋根葺き工法Ｙには、以下の問題があった。
【００１１】
すなわち、屋根下地２００上に固着した役物３００と、粘着剤付き屋根材１００との接合部Ｐから雨水等が万一浸入すると、この雨水等が屋根下地２００に浸水して雨漏り等を生じる恐れがあった。
【００１２】
本発明は、かかる課題を解決することを目的とするもので、上、下端にハゼ部１０１、１０２を屈曲形成し、裏面に粘着剤１０３を設けた粘着剤付き屋根材１００における雨水等の浸入を確実に防止可能な粘着屋根葺き工法を提供する。
【課題を解決するための手段】
【００１３】
上記目的を達成するため、
請求項１に係る粘着剤付き屋根材の粘着屋根葺き工法は、上、下端にハゼ部を屈曲形成し、裏面に粘着剤を設けた粘着剤付き屋根材の粘着屋根葺き工法であって、前記粘着剤付き屋根材の両側端には、上方に向けて立設された連結片を形成すると共に、屋根の下地上に粘着させた前記粘着剤付き屋根材の一方の連結片に、他の粘着剤付き屋根材の他方の連結片を隣接させて横葺きし、前記粘着剤付き屋根材の上端のハゼ部に上段の粘着剤付き屋根材の下端のハゼ部を連結して、前記粘着剤付き屋根材の一方の連結片と同軸上に上段の粘着剤付き屋根材の一方の連結片を隣接させて上記同様に他の粘着剤付き屋根材を横葺きした後、屋根の軒から棟に向けて線条に立設された複数の連結片の上方から、下方に開放された防水キャップを嵌合してなる。
【００１４】
請求項２に係る粘着剤付き屋根材の粘着屋根葺き工法は、請求項１において、連結片の上端には、内側下方に向けて折り返した係止部を形成すると共に、この係止部に係止可能な抜け止め片を、防水キャップの内面に形成してなる。
【発明の効果】
【００１５】
本発明によれば、次のような効果がある。
請求項１に係る粘着剤付き屋根材の粘着屋根葺き工法によれば、両側端に連結片を立設した粘着剤付き屋根材の一方の連結片に、他の粘着剤付き屋根材の他方の連結片を隣接させて横葺きし、又、前記粘着剤付き屋根材の上端のハゼ部に上段の粘着剤付き屋根材の下端のハゼ部を連結して、前記連結片と同軸上に上段の粘着剤付き屋根材の連結片を位置付けしながら前記同様に上段の粘着剤付き屋根材を横葺きした後、これら連結片の上方から防水キャップを嵌合してなるので、屋根下地上に固着された粘着剤付き屋根材の連結片と防水キャップとの接合部から雨水等が浸入する危険を確実に防止できる。
【００１６】
請求項２に係る粘着剤付き屋根材の粘着屋根葺き工法によれば、連結片に形成した係止部に防水キャップの抜け止め片が係止されるため、防水キャップが抜け外れることを防止でき、雨水等が浸入する危険を更に確実に防止できる。
【発明を実施するための最良の形態】
【００１７】
以下、本発明に係る粘着剤付き屋根材の粘着屋根葺き工法を図面とともに説明する。
【実施例１】
【００１８】
図１は、本発明に係る粘着剤付き屋根材の粘着屋根葺き工法Ａの一実施例を示す斜視図、図２は、図１で示した粘着剤付き屋根材の粘着屋根葺き工法Ａの施工状態を示す断面図である。
【００１９】
先ず、本発明に用いる粘着剤付き屋根材１は、トタン、ブリキ、薄鋼板などの金属製薄板１１の両側端を上方に折り曲げて立設した連結片２、３を形成すると共に、金属製薄板１１の上端を表面側に折り返したハゼ部４と、金属製薄板１１の下端を裏面側に折り返したハゼ部５を形成している。
【００２０】
又、連結片２、３の上端には、各々の端部を内側下方に向けて折り返した係止部２１、３１を形成し、更に、金属製薄板１１の裏面、又は金属製薄板１１の裏面及び連結片２、３の外面には、非加硫ブチルゴムなどのシート状の粘着剤６を設けている。
【００２１】
次に、本発明に用いる防水キャップ７は、止水材７１と、この止水材７１を内装したキャップ部７２とより構成している。
【００２２】
具体的には、止水材７１は、合成樹脂又はゴム等を略逆Ｕ字状に形成すると共に、内方に向けて突出した抜け止め片７３を形成している。
【００２３】
一方、キャップ部７２は、樹脂板を折り曲げ加工して下方に開放された略鍵穴状に形成したもので、両側の直立部７２ａの上方は弾性を付与すべく外方に膨出された円弧部７２ｂを形成し、且つ直立部７２ａの下端には、内方に曲成された抜止部７２ｃを形成している。
【００２４】
このような円弧部７２ｂによってキャップ部７２の全体が内方へと加圧作用し、その下端の抜止部７２ｃで内方への挟持力を高め、連結片２、３等への連結状態が確実に保持できる。
【００２５】
なお、これら２種の材料を略逆Ｕ字状に一体形成するには，例えば、各々の材料を押出し成形手段などのような既存の手段を利用して硬軟同時成形すれば良い。
【００２６】
又、本発明に用いる防水キャップ７は、前記実施例のような２種の材料を一体成形したものに限定されず、例えば、以下に示すような１種の材料で形成したものでも構わない。
【００２７】
図３（ａ）〜（ｃ）は、防水キャップ７の他の実施例を示す要部の拡大断面図である。
図３（ａ）で示す防水キャップ７は、樹脂板を折り曲げ加工して下方に開放された略鍵穴状に形成したもので、両側の直立部７２ａの上方は弾性を付与すべく外方に膨出された円弧部７２ｂを形成し、且つ直立部７２ａの下端には、内方に曲成された抜止部７２ｃを形成してなる。
このような円弧部７２ｂによってキャップ部７２の全体が内方へと加圧作用し、その下端の抜止部７２ｃで内方への挟持力を高め、連結片２、３等への連結状態が確実に保持できる。
図３（ｂ）で示す防水キャップ７は、樹脂板を折り曲げ加工して下方に開放された略山形状に形成したもので、各々の両側は、弾性を付与すべく下方に向けて徐々に開放した傾斜片７２ｄを形成し、且つ傾斜片７２ｄの下端には、内方に曲成された抜止部７２ｃを形成してなる。
又、図３（ｃ）で示す防水キャップ７は、傾斜片７２ｄの下端に、内方に向けて括れた抜止部７２ｅを形成したものである。
これら図３（ｂ）、（ｃ）のような傾斜片７２ｄによってキャップ部７２の全体が内方へと加圧作用し、特に、傾斜片７２ｄの下端が内方へと加圧作用するため、該下端の抜止部７２ｃ、７２ｄで内方への挟持力を高め、より連結片２、３等への連結状態を確実に保持できる。
【００２８】
以上のように構成した粘着剤付き屋根材１は、以下の要領で施工する。
【００２９】
先ず、屋根の下地Ｓ１上に接着性を高めるべくプライマーＳ２を塗布する。このプライマーＳ２は、１０ｍ２当り１．５ｋｇ〜２．５ｋｇの割合で、下地Ｓ１が完全に見えなくなるくらいに塗布する。そして、プライマーＳ２の塗布後、４〜５時間以内にプライマーＳ２が十分に乾燥し、指触乾燥したならば、このプライマーＳ２上から非加硫ブチルゴムなどの粘着層Ｓ３を裏面に備えた防水シートＳ４を被覆して粘着する。
【００３０】
防水シートＳ４は、軒先から棟に向けて貼着して行き、防水シートＳ４の重ね代は１００ｍｍ以上とし、シーリングを施すのが好ましい。
【００３１】
なお、防水シートＳ４は、ゴムローラー等により十分に圧着し、防水シートＳ４の重ね目は、しわが生じないように圧着し、屋根下地Ｓを形成する。
【００３２】
次に、この屋根下地Ｓ上に墨出しを行い、粘着剤付き屋根材１、１ａ・・・の貼着位置を決定する。
【００３３】
そして、前記墨出しに合わせて、軒側端の屋根下地Ｓ上に粘着剤付き屋根材１を圧着する。
【００３４】
次に、この粘着した粘着剤付き屋根材１の一方の連結片３に、他の粘着剤付き屋根材１ａの他方の連結片２ａを隣接させて、他の粘着剤付き屋根材１ａを屋根下地Ｓに圧着して横葺きする。以下、前記同様にして、複数の粘着剤付き屋根材１、１ａ、・・・を横葺きして行く。
【００３５】
次に、この横葺きした粘着剤付き屋根材１、１ａ、・・・から棟方向に施工するには、前記墨出しに合わせて、屋根下地Ｓ上の軒側端に圧着した粘着剤付き屋根材１の上端のハゼ部４に上段の粘着剤付き屋根材（不図示）の下端のハゼ部（不図示）を係止させて連結し、これらハゼ部同士を拍子木等でハゼ潰しすると共に、粘着剤付き屋根材１の一方の連結片３と同軸上（軒棟方向に一直線上）に、前記上段の粘着剤付き屋根材（不図示）の一方の連結片（不図示）を隣接させて、前記上段の粘着剤付き屋根材（不図示）を上記同様に屋根下地Ｓ上に圧着する。
【００３６】
そして、この上段の粘着剤付き屋根材（不図示）の一方の連結片（不図示）に、前記同様にして、他の粘着剤付き屋根材（不図示）の他方の連結片（不図示）を隣接させて、該他の粘着剤付き屋根材（不図示）を屋根下地Ｓに圧着して複数の上段の粘着剤付き屋根材（不図示）を横葺きして行くのである。
【００３７】
以上のようにして、屋根下地Ｓ上に粘着剤付き屋根材１、１ａ・・・を圧着して葺いた後、屋根の軒から棟に向けて線条に立設された複数の連結片３、２ａの上方から防水キャップ７を下方に向けて嵌め込み、この防水キャップ７の抜け止め片７３を、粘着剤付き屋根材１、１ａの連結片３及び連結片２ａに係止して、本発明に係る粘着剤付き屋根材の粘着屋根葺き工法Ａを完了するのである。
【００３８】
このように、本発明に係る粘着剤付き屋根材の粘着屋根葺き工法によれば、両側端に連結片２、３を立設した粘着剤付き屋根材１を形成し、この連結片３と、他の粘着剤付き屋根材１ａの連結片２ａを隣接させ、更に、これら連結片２、３と同軸上に上段の粘着剤付き屋根材（不図示）の連結片（不図示）を位置付けて葺いた後、これら連結片３、２ａ・・・の上方から防水キャップ７を嵌合してなるので、屋根下地Ｓ上に固着された粘着剤付き屋根材１の連結片３、２ａと防水キャップ７との接合部から雨水等が浸入する危険を確実に防止できる。
【００３９】
又、連結片２、３、２ａ・・・に形成した係止部２１、３１、２１ａ・・・に防水キャップ７の抜け止め片７３が係止されるため、防水キャップ７が抜け外れることを防止でき、雨水等が浸入する危険を更に確実に防止できるのである。
【図面の簡単な説明】
【００４０】
【図１】本発明に係る粘着剤付き屋根材の粘着屋根葺き工法Ａの一実施例を示す斜視図である。
【図２】図１で示した粘着剤付き屋根材の粘着屋根葺き工法Ａの施工状態を示す断面図である。
【図３】（ａ）〜（ｃ）は、防水キャップの他の実施例を示す要部の拡大断面図である。
【図４】従来の粘着剤付き屋根材の粘着屋根葺き工法の一実施例を示す斜視図である。
【図５】図４で示した粘着剤付き屋根材の粘着屋根葺き工法の施工状態を示す断面図である。
【符号の説明】
【００４１】
Ａ      粘着剤付き屋根材の粘着屋根葺き工法
Ｓ      屋根下地
Ｓ１    下地
１      粘着剤付き屋根材
１ａ    他の粘着剤付き屋根材
２      連結片
２ａ    （他の粘着剤付き屋根材の他方の）連結片
３      （一方の）連結片
３１、２１ａ    係止部
４      （上端の）ハゼ部
５      （下端の）ハゼ部
６      粘着剤
７      防水キャップ
７３    抜け止め片
【図１】
2009133115.tif 000003
【図２】
2009133115.tif 000004
【図３】
2009133115.tif 000005
【図４】
2009133115.tif 000006
【図５】
2009133115.tif 000007
【手続補正書】
【提出日】平成20年6月11日(2008.6.11)
【手続補正１】
【補正対象書類名】明細書
【補正対象項目名】００２７
【補正方法】変更
【補正の内容】
【００２７】
図３（ａ）〜（ｃ）は、防水キャップ７の他の実施例を示す要部の拡大断面図である。
図３（ａ）で示す防水キャップ７は、樹脂板を折り曲げ加工して下方に開放された略鍵穴状に形成したもので、両側の直立部７２ａの上方は弾性を付与すべく外方に膨出された円弧部７２ｂを形成し、且つ直立部７２ａの下端には、内方に曲成された抜止部７２ｃを形成してなる。
このような円弧部７２ｂによってキャップ部７２の全体が内方へと加圧作用し、その下端の抜止部７２ｃで内方への挟持力を高め、連結片２、３等への連結状態が確実に保持できる。
図３（ｂ）で示す防水キャップ７は、樹脂板を折り曲げ加工して下方に開放された略山形状に形成したもので、各々の両側は、弾性を付与すべく下方に向けて徐々に開放した傾斜片７２ｄを形成し、且つ傾斜片７２ｄの下端には、内方に曲成された抜止部７２ｃを形成してなる。
又、図３（ｃ）で示す防水キャップ７は、傾斜片７２ｄの下端に、内方に向けて括れた抜止部７２ｅを形成したものである。
これら図３（ｂ）、（ｃ）のような傾斜片７２ｄによってキャップ部７２の全体が内方へと加圧作用し、特に、傾斜片７２ｄの下端が内方へと加圧作用するため、該下端の抜止部７２ｃ、７２ｅで内方への挟持力を高め、より連結片２、３等への連結状態を確実に保持できる。
【手続補正２】
【補正対象書類名】明細書
【補正対象項目名】００３８
【補正方法】変更
【補正の内容】
【００３８】
このように、本発明に係る粘着剤付き屋根材の粘着屋根葺き工法によれば、両側端に連結片２、３を立設した粘着剤付き屋根材１を形成し、この連結片３と、他の粘着剤付き屋根材１ａの連結片２ａを隣接させ、更に、これら連結片２、３と同軸上に上段の粘着剤付き屋根材（不図示）の連結片（不図示）を位置付けて葺いた後、これら連結片３、２ａ・・・の上方から防水キャップ７を嵌合してなるので、屋根下地Ｓ上に固着された粘着剤付き屋根材１、１ａの連結片３、２ａと防水キャップ７との接合部から雨水等が浸入する危険を確実に防止できる。